(57)【特許請求の範囲】
【請求項１】
複数の発光ダイオードと、
前記複数の発光ダイオードに電力を供給するための水電池と、
少なくとも一方の面に前記複数の発光ダイオードが配置され、前記水電池を内部に収納可能な水密の外装部材とを備え、
前記外装部材の下端に液体を内部に導入するための複数の貫通孔が設けられ、前記水電池はその下端が前記複数の貫通孔よりも所定距離だけ高い位置となるように前記外装部材の内部に固着されていることを特徴とする救難用ライト。
【請求項２】
前記外装部材は、前記水電池を収納する袋本体と、前記複数の発光ダイオードが取付けられた取付けシートと、前記取付けシートの表面を覆う透光性樹脂シートとを備えており、前記透光性樹脂シートと前記取付けシートの表面との間に、前記複数の発光ダイオードを囲む防水枠が設けられていることを特徴とする請求項１に記載の救難用ライト。
【請求項３】
前記外装部材は、前記取付けシートと前記袋本体とを水密的に離隔する防水シートをさらに備えていることを特徴とする請求項２に記載の救難用ライト。
【請求項４】
ユーザの身体、衣服又はライフジャケットに装着するための装着手段をさらに備えていることを特徴とする請求項１から３のいずれか１項に記載の救難用ライト。
【請求項５】
前記水電池は、
可撓性の防水シートから構成された袋状収容体と、
前記袋状収容体内に収容された複数の電池セルと、
前記複数の電池セルに電気的に接続され、前記袋状収容体の内部から外部に引き出される出力リード線とを備え、
前記袋状収容体の下端には、液体を内部の前記複数の電池セルに導くための少なくとも１つの貫通孔が設けられていることを特徴とする請求項１から４のいずれか１項に記載の救難用ライト。
【請求項６】
前記複数の電池セルの各々は、正極を構成する炭素化布と、該炭素化布に電気的に接続された正極引出し電極と、前記炭素化布に密着して設けられた塩含有布と、該塩含有布に密着して設けられた吸水性を有する紙シートと、該紙シートに密着して設けられていると共に負極を構成しており、前記正極よりイオン化傾向が高い材料で形成された金属板と、該金属板に電気的に接続された負極引出し電極と、前記炭素化布、前記正極引出し電極、前記塩含有布、前記紙シート、前記金属板及び前記負極引出し電極を互いに圧着するカバー部材とを備えており、前記塩含有布は、複数層織綿布に塩を含浸させた布で構成されていることを特徴とする請求項５に記載の救難用ライト。
【請求項７】
請求項１から６のいずれか１項に記載の救難用ライトを装着したことを特徴とするライフジャケット。
【発明の詳細な説明】
【技術分野】
【０００１】
本発明は、水電池を用い、水難等の際に遭難者の居場所を知らせる救難用ライト及びライフジャケットに関する。
【背景技術】
【０００２】
イオン化傾向が互いに異なる異種電極による正極及び負極を水や海水中に浸漬して電気化学反応を起こし起電力を得る水電池や海水電池は従来から良く知られており、この種の水電池や海水電池において、より高い性能を得るための提案も多数なされている。
【０００３】
一方、水難事故、特に夜間の水難事故等の際に、漂流している遭難者の居場所を知らせるための救命用ライトが提案されている（特許文献１）。
【０００４】
特許文献１に開示された救命用ライトは、高輝度発光ダイオード（ＬＥＤ）と、高輝度ＬＥＤの発光部を水面上に浮上させる浮力発生部とで構成されており、浮力発生部の天面から高輝度ＬＥＤの発光部を突出させて、両者を一体化している。浮力発生部は、軽量で安価な発泡スチロールで構成されている。
【０００５】
また、浮力発生部の底面には、防水性の電池ケースが取付けられている。電池ケースには、乾電池を交換するための蓋及び乾電池をＯＮ・ＯＦＦするためのスイッチが備えられている。電池ケースを浮力発生部の底面に取付けることにより、その内部に収納される乾電池が錘となって、高輝度ＬＥＤの発光部が水面上に確実に浮上するように構成されている。
【先行技術文献】
【特許文献】
【０００６】
【特許文献１】特開２０００−６２６８７号公報
【発明の概要】
【発明が解決しようとする課題】
【０００７】
しかしながら、特許文献１に記載の救命用ライトは、市販の乾電池を使用するため、水難等の際に遭難者が自らスイッチを入れることが必要となるため、スイッチの入れ忘れ等により点灯しないという問題点があった。
【０００８】
また、電池容量により長時間にわたって安定した放電を維持することができない、点灯時間が短いという問題点があった。
【０００９】
さらに、市販の乾電池を用いるため、長期間の保存が困難であり、さらに長期間保存後長時間にわたって安定した放電を維持できないという問題点があった。
【００１０】
従って、本発明の目的は、水難事故等の際に、着水後自動的に点灯し、漂流している遭難者の居場所を知らせることができる救難用ライト及びライフジャケットを提供することにある。
【００１１】
本発明のさらに他の目的は、長期間の保存ができ、長時間にわたって安定した放電を維持することができ、かつ携帯に便利な救難用ライト及びライフジャケットを提供することにある。
【課題を解決するための手段】
【００１２】
本発明によれば、救難用ライトは、複数の発光ダイオード（ＬＥＤ）と、複数のＬＥＤに電力を供給するための水電池と、少なくとも一方の面に複数のＬＥＤが配置され、水電池を内部に収納可能な水密の外装部材とを備え、外装部材の下端に液体を内部に導入するための複数の貫通孔が設けられ、水電池はその下端が複数の貫通孔よりも所定距離だけ高い位置となるように外装部材の内部に固着されている。
【００１３】
このように本発明の救難用ライトによれば、水電池を内部に収納する水密の外装部材の少なくとも一方の面に複数のＬＥＤが配置され、外装部材の下端に液体を内部に導入するための複数の貫通孔が設けられ、水電池はその下端が複数の貫通孔よりも所定距離だけ高い位置となるように外装部材の内部に固着されている。このため、装着時に雨等が降っても、水が内部の水電池にまで進入しないため、誤点灯することがなく、水難事故等が生じて着水した場合にのみ自動的に点灯（点滅）し、漂流している遭難者の居場所を知らせることができる。
【００１４】
外装部材は、水電池を収納する袋本体と、複数のＬＥＤが取付けられた取付けシートと、取付けシートの表面を覆う透光性樹脂シートとを備えており、透光性樹脂シートと取付けシートの表面との間に、複数のＬＥＤを囲む防水枠が設けられていることが好ましい。これにより、ＬＥＤ取付け部における浸水による電気的短絡を防止することができる。
【００１５】
外装部材は、取付けシートと袋本体とを水密的に離隔する防水シートをさらに備えていることが好ましい。これにより、ＬＥＤ取付け部における浸水による電気的短絡を防止することができると共に、水又は海水を水電池を収納する収納部のみに導入することができる。
【００１６】
ユーザの身体、衣服又はライフジャケットに装着するための装着手段をさらに備えていることが好ましい。これにより、救難用ライトの装着が容易になる。
【００１７】
水電池は、可撓性の防水シートから構成された袋状収容体と、袋状収容体内に収容された複数の電池セルと、電池セルに電気的に接続され、袋状収容体の内部から外部に引き出される出力リード線とを備え、袋状収容体の下端には、液体を内部の複数の電池セルに導くための少なくとも１つの貫通孔が設けられていることが好ましい。これにより、水電池内部に導入する液体（水）の量をコントロールすることができ、長時間にわたって安定した放電を維持できる。また、水電池の取り扱いが容易になり、水電池の交換も可能となる。
【００１８】
複数の電池セルの各々は、正極を構成する炭素化布と、炭素化布に電気的に接続された正極引出し電極と、炭素化布に密着して設けられた塩含有布と、塩含有布に密着して設けられた吸水性を有する紙シートと、紙シートに密着して設けられていると共に負極を構成しており、正極よりイオン化傾向が高い材料で形成された金属板と、金属板に電気的に接続された負極引出し電極と、炭素化布、正極引出し電極、塩含有布、紙シート、金属板及び負極引出し電極を互いに圧着するカバー部材とを備えており、塩含有布は、複数層織綿布に塩を含浸させた布で構成されていることが好ましい。
【００１９】
水（又は海水）が電池内部に進入すると、底部にわずかに溜まったその液体が吸水性を有する紙シートを伝わって塩含有布全体を湿潤させ、その布に含有されている塩が液体内に溶出することで、塩含有布及び紙シートが正極及び負極間の電解液媒体として機能する。これにより、負極周辺において水素イオンによる放電反応が生じ、一方、炭素化布の正極では水素イオンに反応せず電子は負極から正極に移動しようとし、起電力が発生する。このように、炭素化布に塩含有布が密着して設けられ、この塩含有布に吸水性を有する紙シートが密着して設けられ、この紙シートにイオン化傾向が高い材料で形成された金属板が密着して設けられているため、わずかな量の液体が紙シートに接するのみで、電池として作動させることができる。また、カバー部材によって、炭素化布、正極引出し電極、塩含有布、紙シート、金属板及び負極引出し電極を互いに圧着させているため、負極と正極との距離をほぼ一定に保つことができる。さらに、カバー部材の取付けにより、炭素化布と正極引出し電極との電気的接続並びに金属板と負極引出し電極との電気的接続が可能となり、しかも、この接続作業をカバー部材の取付けのみで確実に実施できるため、作業工程が非常に容易となり、製造コストも安価となる。塩含有布として、１枚の布が２層以上の複数層織綿布に食塩を含有させたものを用いているため、初期電圧及び初期電流が大幅に高くなる。また、時間経過後の電圧及び電流の低下も非常に小さい。より大きな起電力を素早い立ち上がりで得ることができ、長時間にわたって安定した放電を維持できる。
【００２０】
本発明によれば、さらに、上述した救難用ライトを装着したライフジャケットが提供される。
【発明の効果】
【００２１】
本発明の救難用ライト及びライフジャケットは、装着時に雨等が降っても、水が内部の水電池にまで進入しないため、誤点灯することがなく、水難事故等が生じて着水した場合にのみ自動的に点灯（点滅）し、漂流している遭難者の居場所を知らせることができる。
【００２２】
また、水電池を用いているため、長期間の保存ができ、長時間にわたって点灯を維持することができ、かつ容易に装着でき、携帯に便利な救難用ライトを提供することができる。
【図面の簡単な説明】
【００２３】
【図１】本発明の一実施形態における救難用ライトの構成を概略的に示す平面図である。
【図２】図１の実施形態における救難用ライトの構成を示す断面図である。
【図３】水電池の構成を概略的に示す斜視図である。
【図４】水電池の電池セル体の具体的な構造を示す斜視図である。
【図５】各電池セルの具体的な構造を詳しく示す斜視図（その１）である。
【図６】各電池セルの具体的な構造を詳しく示す斜視図（その２）である。
【図７】図１の実施形態における救難用ライトの装着例を示す図である。
【図８】図１の実施形態における救難用ライトの他の装着例として救難用ライトをライフジャケットに装着した例を示す図である。
【発明を実施するための形態】
【００２４】
以下、本発明に係る救難用ライト及びライフジャケットの実施形態を、図を参照して説明する。
【００２５】
図１及び図２は本発明の一実施形態における救難用ライト１００の構成を示しており、図２は図１のＡ−Ａ線断面図である。図３は水電池４０の構成を概略的に示しており、図４は水電池４０の内部に収容される電池セル体４２の構成を示しており、図５及び図６は各電池セル４２ａの具体的な構造を詳しく示している。
【００２６】
図１及び図２に示すように、本実施形態に係る救難用ライト１００は、袋状の外装部材１０と、ユーザの身体（例えば腕）、衣服又はライフジャケット等に装着するための装着手段２０と、複数のＬＥＤ３０と、複数のＬＥＤ３０に電力を供給するための水電池４０とを備えている。
【００２７】
外装部材１０は、防水性材料から形成された袋本体１１と、透光性樹脂シート１２及び防水シート１４間に水密的に収容された取付けシート１３とを備えている。取付けシート１３には複数のＬＥＤ３０が取付けられており、その表側が透光性樹脂シート１２によって覆われている。取付けシート１３の裏側にはＬＥＤ３０の固定層１５が貼着されている。取付けシート１３の裏側及び固定層１５は、防水シート１４によって覆われている。この防水シート１４は、袋本体１１の表面１１ａにミシン縫い、熱溶着又は接着剤等で固着されている。
【００２８】
袋本体１１は、１枚の防水材料を折り曲げ、表面１１ａと裏面１１ｂとを形成し、内部に水電池４０が収納された状態で開口の３辺をミシン縫い、熱溶着又は接着剤等で封止することにより水密の袋状に形成されている。この袋本体１１の下端部１１ｃには水等の液体を内部に導入するための複数の貫通孔１１ｄが設けられ、水電池４０はその下端の貫通孔４４（図３参照）が複数の貫通孔１１ｄよりも所定距離Ｄだけ高い位置に固着されている。また、袋本体１１の表面１１ａには、装着手段２０が固着されている。上述したように、この表面１１ａには、防水シート１４、取付けシート１３及び透光性樹脂シート１２がこの順序で積層され固着されている。
【００２９】
透光性樹脂シート１２としては、例えば、透明塩化ビニールシートが用いられる。この透光性樹脂シート１２は、複数のＬＥＤ３０が配置された取付けシート１３の表面を覆うように設けられている。また、透光性樹脂シート１２の固着部から進入した水がＬＥＤ３０の装着部に到達しないように、透光性樹脂シート１２と取付けシート１３の表面との間に、複数のＬＥＤ３０を囲む防水枠１２ａが設けられている。防水枠１２ａは、例えば防水性両面テープから構成される。
【００３０】
取付けシート１３は、袋本体１１と同様な防水材料から形成されている。この取付けシート１３の中央部に複数のＬＥＤ３０を露出させるための複数の貫通孔が形成されている。これらの貫通孔にそれぞれＬＥＤ３０が発光部を露出するように配置されている。
【００３１】
防水シート１４は、透光性樹脂シート１２と共に複数のＬＥＤ３０が配置されている取付けシート１３を水密的に覆い、複数のＬＥＤ３０の装着部への水進入を阻止する。この防水シート１４としては、例えば、布基材に合成樹脂を塗布したもの又はビニールシートが用いられる。
【００３２】
固定層１５は、接着剤又は両面テープからなり、取付けシート１３の裏側に貼着されている。この固定層１５は、複数のＬＥＤ３０を取付けシート１３に固定し、さらに、周りから進入した水が複数のＬＥＤ３０が配置されている部分に進入することを阻止する。
【００３３】
装着手段２０は、ユーザの身体、衣服又はライフジャケットに装着するためのものであり、例えば、ベルトに止め具（バックル等）や面ファスナを取付けたものや、伸縮自在なリング状のベルト等で構成される。
【００３４】
各ＬＥＤ３０としては、発光効率が高い、砲弾型の例えば赤色ＬＥＤが用いられる。もちろん、赤色以外の色のＬＥＤを用いても良い。本実施形態においては、複数の赤色ＬＥＤが複数列（例えば２列）で配列されており、これによって必要な光量を容易に確保できる。また、複数のＬＥＤ３０を、例えば、昇圧回路等の駆動回路で駆動し、０．５秒の間隔で点滅するように制御することが望ましい。この場合、全てのＬＥＤ３０を同期させて点滅するように構成しても良いし、交互に点滅するように構成しても良いし、点滅することなく連続点灯するように構成しても良い。
【００３５】
水電池４０は、袋状収容体４１と、電池セル体４２と、正極端子と負極端子を有する出力リード線４３とを備えている。この水電池４０は、両面テープ又は接着剤Ｔを用いて外装部材１０の袋本体１１内に固着されている。水電池４０の下端は、外装部材１０の袋本体１１の下端部に設けられた複数の貫通孔１１ｄよりも所定距離Ｄだけ高い位置に固着されている。この距離Ｄは、例えば、５〜３０ｍｍである。
【００３６】
水電池４０の袋状収容体４１は、可撓性シートを三方シールで防水構造の袋状に封止して構成されており、その下端に水（海水）を内部に進入させるための複数（例えば、２つ）の貫通孔４４が設けられている。また、袋状収容体４１の片面には、出力リード線４３を引き出す孔が設けられており、この孔は、必要に応じて、接着剤等で封止されている。袋状収容体４１は、例えば、アルミラミネート袋で構成されている。このアルミラミネート袋は、アルミ箔等の金属箔に例えばポリエチレンテレフタレート（ＰＥＴ）フィルム又はポリエチレン（ＰＥ）フィルム等の樹脂フィルムをラミネートして形成された防水の可撓性シートをヒートシールで封止して形成される。防水の可撓性シートとしては、その他に種々のシートを適用可能である。
【００３７】
図４に示すように、本実施形態の水電池４０は、２つの電池セル４２ａからなる電池セル体４２で構成されている。電池セル体４２は、２つの電池セル４２ａを互いに重畳し、樹脂テープ４２ｂ等で緊縛して固定して構成される。２つの電池セル４２ａの下側には吸水性を有するスポンジ４２ｃが挿入されている。各電池セル４２ａの正極リード線及び負極リード線は、互いに並列接続されるように結線され、ハンダ付けされている。電池セル４２ａの寸法、個数及び結線形態は、必要とする電圧及び電流容量によって適宜設定される。
【００３８】
各電池セル４２ａは、図５及び図６に示すように、正極支持板５０ａと、この正極支持板５０ａに固着された正極引出し電極５０ｂと、正極を構成する炭素化布５０ｃと、塩含有布５０ｄと、吸水性を有する紙シート５０ｅと、負極を構成するマグネシウム材料による金属板５０ｆとを備えている。
【００３９】
正極支持板５０ａは例えばプラスチック等の絶縁材料による平板であり、正極引出し電極５０ｂはこの平板の一面又は両面に接着された例えば銅等の導電性金属材料による平板である。
【００４０】
この正極引出し電極５０ｂには、図５（Ａ）に示すように、正極出力リード線４３ａの一端がハンダ付けによって電気的に接続されている。正極引出し電極５０ｂから３つの正極出力リード線４３ａが引き出されている。
【００４１】
正極引出し電極５０ｂが固着された正極支持板５０ａには正極を構成する炭素化布５０ｃが密着して積層されている。より具体的には、図５（Ｂ）に示すように、炭素化布５０ｃは正極支持板５０ａに密着して積層されている。炭素化布５０ｃを正極支持板５０ａの周囲に巻回しても良い。本実施形態で用いている炭素化布５０ｃは、セルロース系繊維の糸からなる織布、編布、織編布又は不織布を原料繊維体とし、これを加熱炭素化してなる織布、編布、織編布又は不織布である。この炭素化布５０ｃは、剛直な炭素繊維を織ったものではなく、炭素化焼成前の出発原料であるセルロース系繊維の糸自体が柔らかく自由な方向性を持っているため、繊維が面方向のみに揃っておらず、厚さ方向にも充分に配合されているため、面方向のみならず厚さ方向にも非常に良好な電導性、誘電特性、熱伝導性及び圧縮強度を有するものである。
【００４２】
正極を構成する炭素化布５０ｃには、塩含有布５０ｄが密着して積層されている。より具体的には、図５（Ｃ）に示すように、塩含有布５０ｄは炭素化布５０ｃの正極支持板５０ａ側の面とは反対側の面に密着して積層されている。この塩含有布５０ｄは、本実施形態では、脱脂布を飽和食塩水に含浸させて乾燥させて構成されており、湿潤状態となると、その塩が溶出して電解液媒体として機能する。特に、本実施形態において、塩含有布５０ｄは、１枚の布が２層以上の複数層織綿布に食塩を含有させたもので構成されている。
【００４３】
塩含有布５０ｄには、吸水性を有する紙シート５０ｅが密着して積層されている。より具体的には、図５（Ｄ）に示すように、紙シート５０ｅは塩含有布５０ｄの炭素化布５０ｃ側の面とは反対側の面に密着してその下側を通り正極支持板５０ａに密着するようにＵ字形に巻かれている。この紙シート５０ｅは、密度１％以下の天然パルプからなる紙のシートであり、袋状収容体４１内に入り込み、その底部にわずかに溜まった液体を毛細管現象により吸い上げて塩含有布５０ｄ全体を湿潤させ、その布に含有されている食塩が液体内に溶出することで、この塩含有布５０ｄ及び紙シート５０ｅが正極及び負極間の電解液媒体として機能する。
【００４４】
紙シート５０ｅには、負極を構成するマグネシウム材料による金属板５０ｆが密着して積層されている。より具体的には、図６（Ａ）に示すように、マグネシウム材料による平板状の金属板５０ｆが紙シート５０ｅの片方の面上に密着して積層されている。
【００４５】
金属板５０ｆとしては、正極である炭素化布５０ｃよりイオン化傾向が高い材料であればマグネシウム以外にも、アルミニウム、リチウム等、種々の材料が適用可能である。
【００４６】
各金属板５０ｆには、負極引出し電極５０ｇが取付けられている。本実施形態では、負極引出し電極５０ｇとして、銅等の導電材料による例えばリベットを金属板５０ｆに挿通させて固着したものを用いている。各負極引出し電極５０ｇには、図６（Ａ）に示すように、負極出力リード線４３ｂの一端がハンダ付けによって電気的に接続されている。
【００４７】
図６（Ｂ）に示すように、以上述べた正極支持板５０ａ、正極引出し電極５０ｂ、炭素化布５０ｃ、塩含有布５０ｄ、紙シート５０ｅ、金属板５０ｆ及び負極引出し電極５０ｇを互いに積層した積層体の回りに樹脂テープを巻き付けて緊縛し、カバー部材５０ｈを形成する。これにより、積層体全体がカバー部材５０ｈ内に堅固に圧着固定された電池セル４２ａが得られる。カバー部材５０ｈによって、正極支持板５０ａ、正極引出し電極５０ｂ、炭素化布５０ｃ、塩含有布５０ｄ、紙シート５０ｅ、金属板５０ｆ及び負極引出し電極５０ｇが堅固に互いに圧着固定されるため、負極と正極との距離をほぼ一定に保つことができる。また、カバー部材５０ｈの形成により、炭素化布５０ｃと正極引出し電極５０ｂとの電気的接続が可能となる。なお、樹脂テープに代えて、熱収縮チューブ内に挿入して加熱することにより、この熱収縮チューブを収縮させてカバー部材５０ｈを構成しても良い。
【００４８】
図７は救難用ライト１００が使用者の腕６０に装着されている例を示している。図７に示すように、救難用ライト１００は、外装部材１０の複数の貫通孔１１ｄが設けられた端を下方にして、装着手段２０で使用者の腕６０に装着されている。図８は救難用ライト１００がライフジャケット７０に装着されている例を示している。図８に示すように、救難用ライト１００は、外装部材１０の複数の貫通孔１１ｄが設けられた端を下方にして、装着手段２０でライフジャケット７０の上部（肩部）に装着されている。図７及び図８に示す装着例の場合、水難事故等の際に、遭難者着水後、水が外装部材１０の下端部に設けられた複数の貫通孔１１ｄから内部に進入し、水電池１００の下端が水浸されると、約５秒で放電が開始し、救難用ライト１００が自動的に点灯又は点滅するようになり、漂流している遭難者の居場所を知らせることができる。救難用ライト１００は、１２０時間以上点灯できる。また、一度水面から上げて乾燥させれば、再使用可能である。
【００４９】
以上説明したように、本実施形態の救難用ライト１００は、水密の外装部材１０と、ユーザの身体、衣服又はライフジャケット等に装着するための装着手段２０と、複数のＬＥＤ３０と、複数のＬＥＤ３０に電力を供給するための水電池４０とを備えている。水電池４０を内部に収納する水密の外装部材１０の一方の面に複数のＬＥＤ３０が配置され、外装部材１０の下端に水（海水）を内部に導入するための複数の貫通孔１１ｄが設けられ、水電池４０はその下端がこの複数の貫通孔１１ｄよりも所定距離だけ高い位置となるように外装部材１０の内部に固着されている。これにより、装着時に雨等が降っても水が内部の水電池にまで進入しないので、誤点灯することがなく、水難事故等で着水した場合にのみ自動的に点灯（点滅）し、漂流している遭難者の居場所を知らせることができる。
【００５０】
また、外装部材１０は、複数のＬＥＤ３０が取付けられた取付けシート１３と、取付けシート１３の表面を覆う透光性樹脂シート１２とを備えており、透光性樹脂シート１２と取付けシート１３の表面との間に、複数のＬＥＤ３０を囲む防水枠１２ａが設けられている。これにより、ＬＥＤ取付け部における浸水による電気的短絡を防止することができる。
【００５１】
また、外装部材１０は、複数のＬＥＤ３０が取付けられている取付けシート１３と袋本体１１即ち水電池４０を収納する収納部とを水密的に離隔する防水シート１４をさらに備えている。これにより、ＬＥＤ取付け部における浸水による電気的短絡を防止することができると共に、水又は海水を水電池４０を収納する収納部のみに導入することができる。
【００５２】
さらに、ユーザの身体、衣服又はライフジャケット７０に装着するための装着手段２０をさらに備えていることで、救難用ライトの装着が容易になる。
【００５３】
なお、前述した実施形態の救難用ライト１００において、水電池４０は、２つの電池セル４２ａからなる電池セル体４２を用いた例を説明したが、本発明はこれに限定されるものではない。１つ又は３つ以上の電池セルからなる電池セル体を用いても良い。また、電池セルの構成は上述した実施形態に限定されるものではない。
【００５４】
また、上述した実施形態の救難用ライト１００において、外装部材１０は、取付けシート１３と袋本体１１の表面１１ａとを隔離する防水性シート１４が設けられている例を説明したが、本発明はこれに限定されるものではない。
【００５５】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００５６】
本発明は、水難事故、特に夜間の水難事故等の際に、漂流している遭難者の居場所を知らせる目的に利用できる。
【符号の説明】
【００５７】
１０  外装部材
１１  袋本体
１１ａ  表面
１１ｂ  裏面
１１ｃ  下端部
１１ｄ、４４  貫通孔
１２  透光性樹脂シート
１２ａ  防水枠
１３  取付けシート
１４  防水シート
１５  固定層
２０  装着手段
３０  ＬＥＤ
４０  水電池
４１  袋状収容体
４２  電池セル体
４２ａ  電池セル
４３  出力リード線
５０ａ  正極支持板
５０ｂ  正極引出し電極
５０ｃ  炭素化布
５０ｄ  塩含有布
５０ｅ  紙シート
５０ｆ  金属板
５０ｇ  負極引出し電極
５０ｈ  カバー部材
６０  腕
７０  ライフジャケット
１００  救難用ライト
Ｔ  両面テープ又は接着剤
【要約】
【課題】水難事故等の際に、着水後自動的に点灯し、漂流している遭難者の居場所を知らせることができる救難ライト及びライフジャケットを提供する。
【解決手段】救難ライトは、複数のＬＥＤと、複数のＬＥＤに電力を供給するための水電池と、少なくとも一方の面に複数の発光ダイオードが配置され、水電池を内部に収納可能な水密の外装部材とを備え、外装部材の下端に液体を内部に導入するための複数の貫通孔が設けられ、水電池はその下端が複数の貫通孔よりも所定距離だけ高い位置となるように外装部材の内部に固着されている。
【選択図】図１【図１】
0005737731.tif 000002
【図２】
0005737731.tif 000003
【図３】
0005737731.tif 000004
【図４】
0005737731.tif 000005
【図５】
0005737731.tif 000006
【図６】
0005737731.tif 000007
【図７】
0005737731.tif 000008
【図８】
0005737731.tif 000009